(57)【要約】      （修正有）【課題】携帯性に優れた貼付剤を提供する。【解決手段】本貼付剤１は、貼付剤本体２と、この貼付剤本体２に剥離可能に貼着された剥離フィルム３とからなり、略矩形形状であり、長辺の長さが８３．６〜８７．６ｍｍ、短辺の長さが５２．０〜５６．０ｍｍであることを特徴としている。かかる貼付剤１は、いわゆるカードサイズである。従って、クレジットカードやテレホンカード、定期券等と同様、携帯性、取扱い性に優れている。なお、合成樹脂フィルム製の専用ケース５に収容してもよい。【選択図】図１  
0003102420.tif 000002
【実用新案登録請求の範囲】
【請求項１】
略矩形形状であり、長辺の長さが８３．６〜８７．６ｍｍ、短辺の長さが５２．０〜５６．０ｍｍであることを特徴とする貼付剤。
【考案の詳細な説明】
【技術分野】
【０００１】
本考案は、パップ剤やプラスター剤のような貼付剤に関する。
【背景技術】
【０００２】
貼付剤は、通常、下記の実用新案登録文献１に開示されているように、支持体及び支持体の片面に積層された粘着剤層からなる貼付剤本体と、粘着剤層に剥離可能に貼着された剥離フィルムとから構成されている。また、粘着剤層を形成する粘着剤には、経皮吸収性の薬物が含有されている。
【特許文献１】特許公開２００１−３２８９３５号公報
【考案の開示】
【考案が解決しようとする課題】
【０００３】
上述したような従来一般の貼付剤は、病院や使用者の居所内で専ら使用されており、携帯という観点で開発されたものはなかった。特に、筋肉痛や腰痛の治療用の貼付剤に関しては、比較的大型のものが多く、持ち運びに不便という問題点がある。
【０００４】
そこで、本考案は、携帯性に優れた貼付剤を提供することを目的としている。
【課題を解決するための手段】
【０００５】
上記目的を達成するために、本考案による貼付剤は、略矩形形状であり、長辺の長さが８３．６〜８７．６ｍｍ、短辺の長さが５２．０〜５６．０ｍｍであることを特徴としている。
【考案の効果】
【０００６】
上記構成の貼付剤は、いわゆるカードサイズである。従って、クレジットカードやテレホンカード、定期券等と同様に、財布や定期券入れ、その他のカード入れに収容して持ち歩くことができる。財布や定期券入れ等は、身につけていることが多く、貼付剤を紛失することも少なく、即座に利用したい場合には特に有効である。
【考案を実施するための最良の形態】
【０００７】
以下、図面を参照して本考案の好適な実施形態について詳細に説明する。なお、図中、同一又は相当部分には同一符号を付することとする。
【０００８】
図１は本考案による貼付剤の好適な実施形態を示す斜視図である。図示するように、本実施形態に係る貼付剤１は、略矩形をなし、貼付剤本体２と、この貼付剤本体２に剥離可能に貼着された剥離フィルム３とから構成されている。
【０００９】
貼付剤本体２は、図面では明示しないが、従来から知られているように、支持体と、この支持体の一面（剥離フィルム３が貼着される側の面）のほぼ全面に積層した粘着層とかなる。
【００１０】
支持体の構成材料は、特に限定されないが、ポリエチレンテレフタレート（ＰＥＴ）、エチレン−酢酸ビニル共重合体（ＥＶＡ）、塩化ビニル、ポリエチレン、ポリブタジエン、スチレン−ブタジエンもしくはスチレン−イソプレンを主体とするブロック共重合樹脂、ブタジエン−スチレン−メタクリル酸メチル共重合樹脂、ナイロン、ポリウレタン、アルコキシアルキル（メタ）アクリレート共重合体、ポリビニルアセタール、ポリアミド、レイヨン等の合成樹脂からなるフィルム、織布、編布、不織布、又はこれらの積層体が好ましく使用される。また、支持体は適度な柔軟性、及び伸縮性を有していることが好ましい。
【００１１】
粘着層の主成分は感圧性接着剤である。その構成材料は、特に限定されないが、常温で薬物を皮膚表面に長時間固定し得る粘着力を有するものが好ましく、例えば、アクリル系粘着剤、ゴム系粘着剤、シリコン系粘着剤等が挙げられる。中でも粘着物性及び薬物の放出性がよいという観点からゴム系粘着剤が好ましく用いられ、特に、天然ゴム、合成イソプレンゴム、ポリイソブチレン、ポリビニルエーテル、ポリウレタン、ポリイソプレン、ポリブタジエン、スチレン−ブタジエン共重合体、スチレン−イソプレン共重合体、スチレン−イソプレン−スチレンブロック（ＳＩＳ）共重合体等がより好ましく用いられる。さらに、ＳＩＳ共重合体を用いる場合は、シェル化学社製のＳＩＳ基剤（商品名：カリフレックスＴＲ−１１０７、カリフレックスＴＲ−１１１１、カリフレックスＴＲ−１１１２、カリフレックスＴＲ−１１１７）、日本合成ゴム社製のＳＩＳ基剤（商品名：ＪＳＲ５０００、ＪＳＲ５００２、ＪＳＲ５１００）、日本ゼオン社製のＳＩＳ基剤（商品名：クインタック３５７０Ｃ）等が最も好ましく用いられる。
【００１２】
粘着層には、必要に応じて粘着付与剤、軟化剤、充填剤、老化防止剤、吸収促進剤等の配合剤を添加してもよい。このような配合剤としては、例えば、脂環族飽和炭化水素樹脂（荒川化学工業社製、商品名：アルコンＰ−１００等）、ロジンエステル（荒川化学工業社製、商品名：ＫＥ−３１１、ＫＥ−１００等）、水素添加ロジンエステル（ハーキュレス社製、商品名：フォーラル１０５、フォーラル８５等）、水素化脂環族系炭化水素（エクソン化学社製、商品名：エスコレッツ５３００等）、ポリテルペン樹脂、石油樹脂、フェノール樹脂の粘着付与剤；流動パラフィン、ポリブテン、液状ポリイソブチレン、動植物油等の軟化剤；その他充填剤；老化防止剤等が挙げられる。また必要に応じて、薬剤の皮膚透過性を向上させるために感圧性接着剤中に吸収促進剤を含有してもよく、このような吸収促進剤としては、例えば、ミリスチン酸イソプロピル、セバシン酸ジエチル、、ソルビタンモノラウレート、オレイルリン酸ナトリウム、ラウリル硫酸ナトリウム、オクチルフェニルエーテル、ラウリルエーテル、ソルビタンモノラウレート、ラウロイルジエタノールアミド、ラウロイルサルコシン、オレオイルサルコシンシュガーエステル、レシチン、グリチルレチン、尿素、サリチル酸、チオグリコール酸カルシウム、乳酸、乳酸エステル、オリーブ油、スクワレン、ラノリン、流動パラフィン、グリセリン等が挙げられる。その他、色素、香料、紫外線吸収剤、界面活性剤、ｐＨ調整剤等も貼付剤の目的に応じて感圧性接着剤中に適宜配合してもよい。
【００１３】
本実施形態の貼付剤１に薬剤を保持させる場合には、前記の感圧性接着剤に配合すればよい。このような薬剤としては、例えば、全身麻酔剤、睡眠、鎮痛剤、解熱消炎鎮痛剤、ステロイドホルモン剤、興奮・覚醒剤、精神神経用剤、局所麻酔剤、骨格筋弛緩剤、自立神経用剤、抗アレルギー剤、抗ヒスタミン剤、強心剤、不整脈用剤、利尿剤、血圧降下剤、血管収縮剤、血管拡張剤、カルシウム拮抗剤、抗殺菌剤、寄生性皮膚疾患用剤、皮膚軟化剤、抗生物質、解毒剤、鎮咳剤、鎮痒剤、催眠剤、精神活力剤、ぜんそく剤、ホルモン分泌促進剤、抗潰瘍剤、制癌剤、ビタミン剤、等が挙げられる。
【００１４】
剥離フィルム３の構成材料は、剥離処理が施されたポリエチレンテレフタレート等の樹脂フィルム、紙等が適宜選択される。なお、剥離フィルム３は、貼付剤本体２に皺やより、ねじれが生じないよう、適度な剛性を有することが好ましい。
【００１５】
以上のような構成の貼付剤１において、本実施形態では、その長辺の長さは、８３．６〜８７．６ｍｍ、短辺の長さは５２．０〜５６．０ｍｍとなっており、好ましくは長辺が約８５．６ｍｍであり、短辺が約５４．０ｍｍである。この寸法は、いわゆるカードサイズと呼ばれるものである。従って、本実施形態に係る貼付剤１は、クレジットカード、テレホンカード、定期券等と同様に扱うことが可能となる。すなわち、常時身につけていることの多い財布や定期券入れ、その他のケース入れに収容することができ、持ち運びや取扱いが容易であるばかりでなく、紛失することも少なくなる。例えば、従来であれば、旅行時に貼付剤は包装箱ごと旅行カバンに入れられることが通常であり、使用したい時に旅行カバンの中を探し回るということも稀ではなかったが、本実施形態の貼付剤１は、常時携帯される財布や定期券入れ等に収容されることから、従来の如き問題は回避される。特に、貼付剤１の使用に緊急性を要するような場合に、本実施形態の貼付剤１は有効となるものである。
【００１６】
また、本実施形態に係る貼付剤１は、各隅部に２．９Ｒ〜３．３Ｒ程度の丸みが付けられている。これは、衣服に貼付剤１が引っ掛かることを防止し、財布や定期券入れに対する出入れを容易化する等の効果を奏するものである。
【００１７】
なお、貼付剤本体２の粘着層の縁部から粘着剤や薬剤がはみ出すタイプの貼付剤１にあっては、図１に示すような合成樹脂フィルム製の専用ケース５に入れた状態で、財布等に収容することが好ましい。
【００１８】
また、図２に示すように、剥離フィルム３の一端縁を延長し、この延長部分４を折り曲げて貼付剤本体２をカバーできるような構成として、粘着剤や薬剤のはみ出しに対処できるようにしていもよい。
【図面の簡単な説明】
【００１９】
【図１】本考案による貼付剤の一実施形態を示す斜視図である。
【図２】本考案のよる貼付剤の別の実施形態を示す斜視図である。
【符号の説明】
【００２０】
１…貼付剤
２…貼付剤本体
３…剥離フィルム
【図１】
0003102420.tif 000003
【図２】
0003102420.tif 000004